【事件の表示】
　平成　９年特許願第　８７８１２号「電子機器、並びにその電子機器の測定方法」拒絶査定不服審判事件〔平成１０年１０月２３日出願公開、特開平１０−２８２１７２〕について、次のとおり審決する。
【結　論】
　本件審判の請求は、成り立たない。
【理　由】
１．手続きの経緯／本願発明
  本願は、平成９年４月７日の出願であって、その請求項１乃至７に係る発明は、明細書及び図面の記載からみて、その特許請求の範囲の請求項１乃至７に記載された事項により特定されるとおりのものと認められるところ、請求項４に係る発明（以下、「本願発明」という。）は次のとおりのものである。
「【請求項４】　筺体の上下方向において直線状で、筺体を貫通して設けられた一個、又は複数個の第１の孔と、前記筺体内に配置されたプリント基板に形成された回路パターンに対向してカバー、又は底壁に設けられた第２の孔を有する電子機器の、前記第１の孔にガイド棒を挿入した状態で、前記第２の孔にテストピンを挿入し、該テストピンを前記回路パターンに接触させたことを特徴とする電子機器の測定方法。」
　
２．引用刊行物
　原査定の拒絶の理由に引用された本願出願前に頒布された刊行物である特開平２−２５９５８３号公報（以下、「引用刊行物」という。）には、図面とともに、次の事項が記載されている。
１ａ．「従来、例えば電子レンジの操作パネルは、第１１図に示すような方法で検査されている。即ち、操作パネル４は、・・・裏面に第１１図（ｂ）に示すように・・・多数のコネクタ３９ａ，３９ｂ，・・・等を搭載した予備検査済のプリント基板６１を組み込んでなる。」（１ページ右下欄１３行〜２ページ左上欄１行）
１ｂ．「本発明の操作パネル自動検査装置は、装置内にセットされた操作パネルの裏面に接離するように駆動手段によって往復動せしめられる移動台と、この移動台上に台面内の微動を許容するフローティング手段を介して載置され、表面に上記操作パネルの位置合わせ穴に嵌合するガイドピンを有するとともに、先端が上記操作パネルの裏面から突出するコネクタの信号ピンに電気的に接続可能で、基端が信号線に接続され、ばねで先端方向へ付勢されて摺動可能に突設されたコンタクトピンを有する自動配線ボードと、上記操作パネルの表面側に配設され、電磁弁を経るエアで駆動されて操作パネルのキーを押圧するシリンダを有するシリンダボードと、検査プログラムに従って上記移動台の駆動手段および上記シリンダの電磁弁にシーケンス制卸信号を出力するとともに、上記コンタクトピンの信号線からの信号に基づいて操作パネルが正常に機能するか否かを判断して、合否信号を出力するコンピュータを備える。・・・移動台上にフローティング手段を介して載置された自動配線ボードは、装置内にセットされた操作パネルの裏面に接近し、表面のガイドピンが操作パネルの位置合わせ穴に嵌合する。これにより、自動配線ボードは、表面のコンタクトピンが操作パネルの裏面から突出するコネクタの対応する信号ピンと一直線上に揃うように移動台面内で微動して、さらに接近を続ける。そして、自動配線ボードが操作パネルに押し付けられると、コンタクトピンの先端がばねの付勢力でコネクタの信号ピンに圧接して、電気的に接続される。」（２ページ右上欄１０行〜右下欄３行）　
１ｃ．「本発明を図示の実施例により詳細に説明する。第１図は本発明の操作パネル自動検査装置の一実施例を示す概略図であり、１はケース、２はこのケース１内に横設した中間板３の中央開口３ａの周縁に設けられ、検査すべき操作パネル４を把持するホルダ、５はケース１内に横設した下板６の中央に設けられ、上記操作パネル４の裏面に接離するように第１エアシリンダ２５（第４図参照）によって昇降動せしめられる移動台である。また、７はこの移動台５上にフローテイング機構８を介して載置され、操作パネル４の裏面から突出するコネクタ３９（第７図参照）の信号ピン４０に電気的に接続しうる多数のコンタクトピン３８とガイドピン３６を表面に有する自動配線ボード、９はケース１の天板１ａの中央に設けられ、操作パネル４の表面に接離するように第２エアシリンダ１０で昇降動せしめられる昇降枠、１１はこの昇降枠９の下端に固定され、電磁弁１２を経るエアで駆動されて操作パネル４の調理キー４４（第９図参照）を押圧する多数のシリンダ１３を有するシリンダボードである。」（２ページ右下欄１７行〜３ページ左上欄１８行）　
１ｄ．「第５図は、上記移動台５の台板２１上に取り付けられる自動配線ボード７を示している。即ち、台板２１の四隅に立設した４つのブラケット３１に各フローティング機構８のハウジング３２の軸部３２ａを支承し、このハウジング３２内に変位吸収材３３（第６図参照）を介して径方向に微動可能に軸材３４を収容し、この軸材３４に取付台１４の四隅をボルト３５で固定し、上記取付台１４上に自動配線ボード７を水平に取り付ける。そして、自動配線ボード７の表面に突設した一対のガイドピン３６（第７図参照）が、ホルダ２に把持された操作パネル４（第２図参照）の一対の位置合わせ穴３７（第７図参照）に移動台５の上昇に伴って嵌合すると、取付台１４が移動台５の台板２１に対して水平面内で微動して、自動配線ボード７から突出する多数のコンタクトピン３８ａ，・・・，３８ｍ（第７図参照）が、操作パネル４の裏面から突出するコネクタ３９ａ，・・・，３９ｍの対応する信号ピン４０ａ，・・・，４０ｍと第７図の矢印で示すように夫々一直線上に揃い、自動配線ボード７の取付台１４への取付誤差が吸収されるようになっている。一方、上記コンタクトピン３８は、第８図に示すように、自動配線ボード７上に設けたピンブロック４１に摺動可能に収納され、その先端が信号ピン４０に外嵌して電気的に接続する筒部３８aとなっており、基端３８ｂが夫々信号線４２に接続されるとともに、基端３８ｂ近傍にコンタクトピン３８を突出方向へ付勢するばね４３を夫々縮装している。」（３ページ右下欄３行〜４ページ左上欄１０行）
１ｅ．図面の第７図に、自動配線ボード７に設けた一対のガイドピン３６及びコンタクトピン３８ａ，・・・，３８ｍと、操作パネル４に設けた位置合わせ穴３７及びコネクタ３９ａ，・・・，３９ｍとの嵌合関係が示されている。
　
３．対比・判断
 「２．引用刊行物」の記載事項から、以下のことが読み取れる。
・「１ｄ．」の記載から、操作パネル４には、信号ピン４０ａ，・・・，４０ｍを有するコネクタ３９ａ，・・・，３９ｍと、一対の位置合わせ穴３７とが設けられていること。また、「１ａ．」の記載から、コネクタと一対の位置合わせ穴は、プリント基板に設けられていること。したがって、コネクタと一対の位置合わせ穴を設けたプリント基板が操作パネル内に配置されていること。
・「１ｂ．」及び「１ｃ．」の記載から、検査のために、一対のガイドピン３６及びコンタクトピン３８ａ，・・・，３８ｍを設けた自動配線ボード７を、操作パネル４に接近させ、先ず、ガイドピン３６が操作パネル４の位置合わせ穴３７に嵌合した後、更に接近を続けることにより、コンタクトピン３８ａ，・・・，３８ｍの先端が、コネクタ３９ａ，・・・，３９ｍの信号ピン４０ａ，・・・，４０ｍに圧接して電気的に接続され、検査が可能な状態となること。
・「１ａ．」の「従来、例えば電子レンジの操作パネルは、第１１図に示すような方法で検査されている。」との記載、及び、「１ｂ．」の「検査プログラムに従って・・・上記コンタクトピンの信号線からの信号に基づいて操作パネルが正常に機能するか否かを判断して、合否信号を出力するコンピュータを備える。」との記載等からみて、上記引用刊行物には、操作パネルの検査方法が実質的に示されているものと認められること。
　したがって、引用刊行物には、上記「２．」の「１ａ．」乃至「１ｅ．」の記載から、以下の発明（以下、「引用刊行物記載の発明」という。）が記載されているものと認められる。
「操作パネル４に組み込まれた、コネクタ３９ａ，・・・，３９ｍと一対の位置合わせ穴３７を設けたプリント基板６１に対して、一対のガイドピン３６及びコンタクトピン３８ａ，・・・，３８ｍを設けた自動配線ボード７を接近させ、先ず、ガイドピン３６が位置合わせ穴３７に嵌合し、更に接近を続けることにより、コンタクトピン３８ａ，・・・，３８ｍの先端が、コネクタ３９ａ，・・・，３９ｍの信号ピン４０ａ，・・・，４０ｍに圧接して電気的に接続することを特徴とする操作パネル４の検査方法。」
　
　本願発明（前者）と引用刊行物記載の発明（後者）とを対比する。
・後者の、「操作パネル４」、「プリント基板６１」、「ガイドピン３６」、「コンタクトピン３８ａ，・・・，３８ｍ」、「操作パネル４の検査方法」は、前者の、「筐体」及び「電子機器」、「第１の孔」、「プリント基板」、「ガイド棒」、「テストピン」、「電子機器の測定方法」に相当する。
・後者の「位置合わせ穴３７」と前者の「第１の孔」とは、ともに、検査の際にプリント基板の位置合わせを行うための、電子機器が有する「位置合わせ孔」である点で共通する。
・後者の「先ず、ガイドピン３６が位置合わせ穴３７に嵌合し、更に接近を続けることにより、コンタクトピン３８ａ，・・・，３８ｍの先端が、コネクタ３９ａ，・・・，３９ｍの信号ピン４０ａ，・・・，４０ｍに圧接して電気的に接続する」ことと、前者の「第１の孔にガイド棒を挿入した状態で、前記第２の孔にテストピンを挿入し、該テストピンを前記回路パターンに接触させた」こととは、プリント基板に回路パターンが形成されていることは明らかであること、及び、前記相当関係も勘案すれば、ともに「第１の孔にガイド棒を挿入した状態で、テストピンを接近させ、テストピンを回路パターンに電気的に接続した」点で共通する。
　以上より、両者は、「複数個の位置合わせ孔と、筺体内に配置され、回路パターンが形成されたプリント基板とを有する電子機器の、前記位置合わせ孔にガイド棒を挿入した状態で、前記プリント基板にテストピンを接近させ、前記テストピンを前記回路パターンに電気的に接続したことを特徴とする電子機器の測定方法。」の点の構成で一致し、次の点で相違する。
［相違点１］
　「位置合わせ孔」に関して、前者が、電子機器の筺体の上下方向において直線状で、筺体を貫通して設けられた孔であるのに対し、後者は、操作パネル４に組み込まれたプリント基板６１に設けられた位置合わせ穴３７である点。
［相違点２］
　前者が、筺体内に配置されたプリント基板に形成された回路パターンに対向してカバー、又は底壁に設けられた第２の孔を有し、第２の孔にテストピンを挿入し、該テストピンを前記回路パターンに接触させているのに対し、後者は、このような構成を有していない点。　
　そこで、上記各相違点について検討する。
［相違点１］について　
　後者の、操作パネル４に組み込まれたプリント基板６１は、筐体内に配置されたプリント基板であり、基板に設けられた位置合わせ穴３７により位置合わせを行うことにより、操作パネルの位置決め、即ち、筐体の位置決めがなされるものである。尤も、後者には、筐体を貫通する孔は設けられていないが、回路基板の検査に当たり、貫通孔にピンを通して位置合わせを行うことは、従来周知（例えば、特開昭６３−２８５４８２号公報、特開昭６４−３１０６６号公報等参照。）であることを勘案すれば、筐体に位置決め用の貫通孔を設けて相違点１に係る構成とすることは、当業者が適宜採用しうるところと認められる。
［相違点２］について
  筺体内に組み込まれたプリント基板に形成された回路パターンに対向する筐体の一部に、テストピンの挿入孔を設け、該挿入孔にテストピンを挿入し、該テストピンを前記回路パターンに接触させて電子機器の試験を行うことは、例えば、実願昭６１−１３２１４号（実開昭６２−１２６８８３号）のマイクロフィルム、実願昭５８−１５８６３号（実開昭５９−１２１８７２号）のマイクロフィルム等に示されるように従来周知の技術事項であり、このような周知の技術事項を引用刊行物記載の発明に適用して相違点２に係る構成とすることは、当業者が格別の推考力を要することとは認められない。
　そして、本願発明による効果も、引用刊行物の記載及び上記周知事項から当業者が予測し得る範囲内のものである。
　したがって、本願発明は、引用刊行物記載の発明及び上記周知事項に基いて当業者が容易に発明をすることができたものと認められる。
　
４．むすび
　以上のとおりであるから、請求項４に係る発明（本願発明）は、特許法第２９条第２項の規定により特許を受けることができない。
　そして、請求項４に係る発明が特許を受けることができないものであるから、その余の請求項に係る発明について検討するまでもなく、本願は拒絶すべきものである。
　よって、結論のとおり審決する。